(57)【特許請求の範囲】
【請求項１】
撮影部と、
上記撮影部の後部に配置された第１の表示部と、
上記撮影部及び上記第１の表示部の下部に配置され、撮影画像等を主記録媒体に記録、再生するメカデッキ部と、
上記メカデッキ部の一側部に配置された開閉式の第２の表示部モニター部とを備えた撮像装置において、
カード型記録媒体に撮影画像等を記録、再生するカード型記録装置を上記撮影部及び上記第１の表示部の下部で、上記メカデッキ部と上記第２の表示部で囲まれた空間内にこれらメカデッキ部及び第２の表示部とほぼ平行状に配置した
ことを特徴とする撮像装置。
【請求項２】
撮影部と、
上記撮影部の後部に配置された第１の表示部と、
上記撮影部及び上記第１の表示部の下部に配置され、撮影画像等を主記録媒体に記録、再生するメカデッキ部と、
上記メカデッキ部の一側部に配置された開閉式の第２の表示部と、
上記メカデッキ部と上記第２の表示部との間に平行状に配置されて、上記撮影部、上記第１の表示部及び上記第２の表示部との間で画像信号等の授受を行う制御部とを備えたビデオカメラにおいて、
カード型記録媒体に撮影画像等を記録、再生するカード型記録装置を上記撮影部及び上記第１の表示部の下部で、上記制御部と上記第２の表示部で囲まれた空間内にこれら制御部部及び第２の表示部とほぼ平行状に配置した
ことを特徴とする撮像装置。
【請求項３】
撮影部と、
上記撮影部の後部に配置された第１の表示部と、
上記撮影部及び第１の表示部の下部に配置され、撮影画像等をテープ状記録媒体又はディスク状記録媒体等の主記録媒体に記録、再生するメカデッキ部と、
上記メカデッキ部の一側部に配置た開閉式の第２の表示部と、
上記メカデッキ部の一側部で上記第２の表示部の下部に脱着可能に装着されたバッテリー部とを備えたビデオカメラにおいて、
カード型記録媒体に撮影画像等を記録、再生するカード型記録装置を上記撮影部及び上記第１の表示部の下部で、上記メカデッキ部と上記第２の表示部と上記バッテリー部で囲まれた空間内にこれらメカデッキ部及び第２の表示部とほぼ平行状に配置した
ことを特徴とする撮像装置。
【請求項４】
上記第２の表示部を開くことにより、上記カード型記録装置内部に装着されている上記カード型記録媒体を外部に露呈させる窓穴を形成した
ことを特徴とする請求項１又は請求項２又は請求項３に記載の撮像装置。
【請求項５】
上記カード型記録装置を上記制御部の基板に直接取り付けた
ことを特徴とする請求項１又は請求項２又は請求項３又は請求項４に記載の撮像装置。
【請求項６】
上記カード型記録装置の上記カード型記録媒体挿入口をカメラ本体の後面に開口させた
ことを特徴とする請求項１又は請求項２又は請求項３又は請求項４又は請求項５に記載の撮像装置。
【発明の詳細な説明】
【０００１】
【発明の属する技術分野】
本発明は、例えばビデオカメラレコーダ等に適用すのに最適な撮像装置であって、特に、カード型記録媒体に撮影画像中の静止画データ等を記録、再生することができるようにいたカード型記録装置に関する技術分野に属するものである。
【０００２】
【従来の技術】
近年、メモリースティック、フラッシュメモリー、ＩＣカード、ＰＣカード、マルチメディアカード、スマートメディア等と称され、電子回路が内蔵されたカード型に構成されたカード型記録媒体が注目されている。このカード型記録媒体には画像データ、音声データ、文字データ等のデジタル化された各種のデータを記録（書き込み）及び再生（読み取り）することが可能であり、小型、軽量であることから、携帯等に頗る便利である。
【０００３】
そこで、近年、カード型記録媒体の記録再生装置であるカード型記録装置をビデオカメラレコーダに内蔵したものが複数のメーカから発表されている。この種、カード型記録装置を内蔵したビデオカメラレコーダによれば、撮影した撮影画像である動画等（画像データ、音声データ、文字データ等を含む）をビデオテープに記録すると共に、その動画中から静止画データ等をカード型記録媒体に記録して置き、そのカード型記録媒体をビデオカメラレコーダから取り出して、ノート型パソコン（パーソナルコンピュータの略）等にそのまま差し込むだけで、画像データとして取り込むことができる等、優れた利便性を有している。
【０００４】
そこで、カード型記録再生装置を内蔵した縦形のビデオカメラレコーダとして図１１に示すものがある。このビデオカメラレコーダ１０１は縦形のカメラ本体１０２を有していて、そのカメラ本体１０２内の上部にレンズ１０３を有する撮影部１０４とビューファインダー部１０５とが前後に並べられてほぼ同一の光軸Ｐ１上に水平に配置され、そのカメラ本体１０２内で撮影部１０４とビューファインダー部１０５の下部にメカデッキ部１０６が光軸Ｐ１と平行で垂直状に配置されている。そして、メカデッキ部１０６にはビデオカセット１０７内のビデオテープに画像データ等を記録、再生する記録再生部が備えられていて、そのビデオカセット１０７を脱着するためのカセットカバー１０８がカメラ本体１０２の右側面（但し、ビデオカメラレコーダ１０１を後方から見た状態での右側面である）に右横方向に開閉自在に取り付けられている。そして、そのカセットカバー１０８は平面形状がほぼＬ型に形成されていてカメラ本体１０２の右側面及後面の一部に兼用されている。
【０００５】
そして、カメラ本体１０２のでメカデッキ部１０６のカセットカバー１０８側とは反対側である左側面（同様に、ビデオカメラレコーダ１０１を後方から見た状態での左側面である）の内側に制御部１０９が光軸Ｐ１と平行で垂直状に配置され、そのカメラ本体１０２の左側面の外側にモニター部である液晶モニター部１１０が光軸Ｐ１と平行で垂直状に配置されていて、その液晶モニター部１１０は左横方向に開閉自在に取り付けられている。そして、カメラ本体１０２の左側面の外側で液晶モニター部１１０の下部にバッテリー装着部１１１が配置されていて、そのバッテリー装着部１１１にバッテリー１１２が光軸Ｐ１と平行で交換可能に装着されている。
【０００６】
そして、カード型記録媒体１１３に画像デーダ等を記録、再生するカード型記録再生装置１１４がカメラ本体１０２のメカデッキ部１０６の液晶モニター部１１０とは反対側である右側面の内側に光軸Ｐ１と平行で垂直状に配置されている。この際、カメラ本体１０２の右側面を兼用しているカセットカバー１０８の右外側に右方向への張り出し部１１５を一体に形成して、その張り出し部１１５の内側にカード型記録再生装置１１４を垂直状に組み込んでいる。そして、カード型記録媒体１１３をカメラ本体１０２の後面側からカード型記録再生装置１１４内に垂直状に挿入して、そのビデオカメラレコーダ１０１で撮影した動画の静止画データ等をカード型記録再生装置１１４によってカード型記録媒体１１３に記録、再生することができるようにしたものである。
【０００７】
【発明が解決しようとする課題】
しかし、従来のビデオカメラレコーダ１０１のように、カメラ本体１０２の左側面に張り出し部１１５を形成して、その張り出し部１１５内にカード型記録再生装置１１４を組み込んだ構造では、メカデッキ部１０６の幅方向のセンターＰ２に対する張り出し部１１５の右方向への張り出し寸法Ａが大きくなり、バッテリー１１２を除いたビデオカメラレコーダ１０１全体の幅寸法である液晶モニター部１１０と張り出し部１１５との間の幅寸法Ｂ１が大きくなって、ビデオカメラレコーダ１０１が大型化してしまうと言う問題があった。
【０００８】
即ち、従来のビデオカメラレコーダ１０１は、撮影部１０４の光軸Ｐ１をメカデッキ１０６の幅方向のセンターＰ２上に配置していて、その撮影部１０４の固体撮像素子（ＣＣＤ）の画素数が７０万画素以下の低画素数なものであったために、レンズ１０３の口径Ｄ１も小径なものであった。従って、そのレンズ１０３のセンターＰ２に対する液晶モニター部１１０の右方向への張り出し寸法Ｃ１も比較的小さく抑えることができるために、ビデオカメラレコーダ１０２全体の幅寸法Ｂ１もさほど気にならない程度の大きさであった。
【０００９】
しかし、近年では、デジタルスチルビデオカメラに見られるように、固体撮像素子の画素数が１００万画素や２００万画素と言う高画素数のものが主流になりつつあり、カード型記録再生装置１１４を内蔵したビデオカメラレコーダ１０１においても同様に固体撮像素子の高画素数のものが求められていて、レンズ１０３もそれに見合った高解像度のもの、つまり、大口径のレンズ１０３が必要になっている。
【００１０】
従って、従来のビデオカメラレコーダ１０１の構成では、固体撮像素子の高画素数に見合うように、レンズ１０３の口径を小口径Ｄ１から大口径Ｄ２に大きくした場合には、図１１に点線で示すようにうに、そのレンズ１０３の大口径Ｄ２の寸法にあわせて、液晶モニター部１１０の取付位置を左方向へ偏位させなければならなくなって、メカデッキ部１０６のセンターＰ２に対する液晶モニター部１１０の張り出し寸法Ｃ２を拡大しなけれならなくなり、ビデオカメラレコーダ１０１全体の幅寸法がＢ１からＢ２に拡大されることになるので、ビデオカメラレコーダ１０１が大型になってしまう。
【００１１】
また、一般的に、この種ビデオカメラレコーダ１０１では、メカデッキ部１０６、液晶モニター部１１０及びバッテリー１１２との間で電源供給及び画像信号等の授受を行うための制御部１０９をメカデッキ部１０６と、液晶モニター部１１０及びバッテリー１１０との中間位置に配置して、これらの間での配線距離の最短化を図るように設計されている。このため、従来のように、カード型記録再生装置１１４をメカデッキ部１０６を挟んで液晶モニター部１１０の反対側に配置する構造では、そのカード型記録再生装置１１４と制御部１０９との間の配線距離が長くなり、更に、カード型記録再生装置１１４を可動部であるカセットカバー１０８で支持する構造では、そのカード型記録再生装置１１４と制御部１０９との間を長いフレキシブルプリント基板等で配線しなければならず、コストアップを招いたり、配線の信頼性も低くなっている。また、ビデオカセット１０７の脱着時に、カセットカバー１０８を開閉操作する際に、カード型記録媒体１１３をカード型記録再生装置１１４内から誤って排出及び脱落させてしまい易い等の危険性もあった。
【００１２】
本発明は、上記の問題を解決するためになされたものであって、薄型化が可能であり、配線等の信頼性も向上することができるようにした撮像装置を提供することを目的としている。
【００１３】
【課題を解決するための手段】
上記の目的を達成するための本発明のビデオカメラレコーダの請求項１は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置した撮像装置において、カード型記録媒体に撮影画像等を記録、再生するカード型記録装置を撮影部及び第１の表示部の下部で、メカデッキ部と第２の表示部で囲まれた空間内にこれらメカデッキ部及び第２の表示部とほぼ平行に配置したものである。
また、上記の目的を達成するための本発明の撮像装置の請求項２は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置すると共に、第１の表示部と第２の表示部との間で画像信号等の授受を行う制御部をメカデッキ部と第２の表示部との間に平行状に配置した撮像装置において、カード型記録媒体に撮影画像等を記録、再生するカード型記録装置を撮影部及び第１の表示部の下部で、制御部と第２の表示部で囲まれた空間内にこれら制御部及び第２の表示部とほぼ平行に配置したものである。
また、上記の目的を達成するための本発明の撮像装置の請求項３は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置すると共に、メカデッキ部の一側部で第２の表示部の下部に脱着可能なにバッテリー部を配置したビデオカメラにおいて、カード型記録媒体に撮影画像等を記録、再生するカード型記録装置を撮影部及び第１の表示部の下部で、メカデッキ部と第２の表示部とバッテリー部で囲まれた空間内にこれらメカデッキ部及び第２の表示部とほぼ平行に配置したものである。
【００１４】
上記のように構成された本発明の撮像装置の請求項１、請求項２、請求項３によれば、カード型記録媒体に撮影画像等を記録、再生するカード型記録再生装置を内蔵したビデオカメラにおいて、従来デッドスペースになっていた撮影部及び第１の表示部の下部で、少なくともメカデッキ部及び／又は制御部と第２の表示部で囲まれた空間内にカード型記録再生装置を効果的に収容することができ、従来、カード型記録再生装置を収容するために必要であったメカデッキ部の第２の表示部とは反対側の張り出し部を除去することができる。
【００１５】
【発明の実施の形態】
以下、本発明を適用した撮像装置としてのビデオカメラレコーダの実施の形態を図１〜図１０を参照して説明する。
【００１６】
まず、図１〜図８に示すように、このビデオカメラの一例であるビデオカメラレコーダ１は後述するカード型記録再生装置１４を内蔵した縦形で、かつ、薄型のビデオカメラレコーダに構成されている。そして、このビデオカメラレコーダ１は縦形で、薄型のカメラ本体２を有していて、そのカメラ本体２内の上部にはレンズ３及び固体撮像素子（ＣＣＤ）を有する撮影部４と第１の表示部であるビューファインダー部５とが前後に並べられてほぼ同一の光軸Ｐ１上に水平に配置されている。なお、撮影部４はレンズ３及び固体撮像素子によって撮影対象となる被写体を撮影して画像信号を生成するものであり、ビューファインダー部５は撮影部４で撮影された画像やのこビデオカメラレコーダ１の動作モード等を表示する液晶表示部に構成されている。そして、そのカメラ本体２内で撮影部４とビューファインダー部５の下部にメカデッキ部６が光軸Ｐ１と平行で垂直状に配置されていて、このメカデッキ部６には主記録媒体を構成しているテープ状記録媒体であるビデオカセット７内のビデオテープに画像データ等を記録、再生する記録再生部が備えられている。そして、そのビデオカセット７を脱着するためのカセットカバー８がカメラ本体２の右側面（但し、ビデオカメラレコーダ１を後方から見た状態での右側面である）２ａに右横方向に開閉自在に取り付けられている。そのカセットカバー８は平面形状がほぼＬ型に形成されていて、そのカセットカバー８の右側面８ａ及び左側面８ｃがカメラ本体２の右側面２ａ及後面２ｃの一部に兼用されている。
【００１７】
そして、カメラ本体２の左側面２ｂ（同様に、ビデオカメラレコーダ１を後方から見た状態での左側面である）の内側でメカデッキ部６との間に制御部９が光軸Ｐ１と平行で垂直状に配置され、そのカメラ本体２の左側面２ｂの外側に第２の表示部である液晶モニター部１０が光軸Ｐ１と平行で垂直状に配置されていて、その液晶モニター部１０は左横方向に開閉自在に取り付けられている。なお、液晶モニター部１０は撮影部４によって撮影される画像やビデオテープの再生画像等をモニター画面である液晶画面１０ａに表示するものである。そして、カメラ本体２の左側面２ｂの外側における後面２ｃ側に偏位された位置で液晶モニター部１０の下部にバッテリー部であるバッテリー装着部１１が配置されていて、そのバッテリー装着部１１に携帯用の電源であるバッテリー１２が交換可能に装着されている。そして、この制御部９は主制御回路が実装された大型の基板である主制御基板９ａと副制御回路が実装された小型の基板である副制御基板９ｂとで構成されていて、主制御基板９ａがカメラ本体２の左側面２ｂの内側でメカデッキ部６との間に光軸Ｐ１と平行で垂直状に配置されていて、副制御基板９ｂはカメラ本体２の前面２ｄの内側でメカデッキ部６との間に光軸Ｐ１に対し直角な垂直状に配置されている。
【００１８】
そして、カード型記録媒体１３に画像データ等を記録、再生するカード型記録再生装置１４がカメラ本体２の左側面２ｂの内側で、撮影部４及びビューファインダー部５の下部位置における制御部９の主制御基板９ａと液晶モニター部１０とバッテリー装着部１１との間で囲まれたデッドスペースである空間１５内に光軸Ｐ１と平行で垂直状に配置されている。そして、カメラ本体２の後面２ｃの左端に垂直状に形成されたカード型記録媒体挿入口１６からカード型記録媒体１３をそのカード型記録再生装置１４内に挿入して装着し、そのビデオカメラレコーダ１で撮影した動画の静止画データ等をカード型記録再生装置１４によってカード型記録媒体１３に記録、再生することができるようにしたものである。そして、カード型記録媒体２３には電子回路が内蔵されていて、その先端１３ａ側の一側面には接続用端子１３ｂと誤消去防止スイッチ１３ｃ等が設けられている。なお、制御部９は撮影部４から入力される画像情報を処理してビューファインダー部５や液晶モニター部１０に入力して表示させたり、メカデッキ部６におけるビデオテープの走行制御や画像の記録、再生動作に関する制御を行ったり、ビデオテープの再生画像等を液晶モニター部１０に表示させたり、ビデオテープの再生画像中から希望する静止画データをカード型記録再生装置１４によってカード型記録媒体１３に記録、再生する等の制御を行うものである。
【００１９】
ところで、このビデオカメラレコーダ１は高解像度、高画質である高感度ビデオカメラに構成されている。即ち、撮影部４の固体撮像素子（ＣＣＤ）の画素数か１００万画素や２００万画素等の高画素数に構成されていて、レンズ３もその固体撮像素子の高画素数に見合った高解像度のレンズである大口径が使用されている。但し、レンズ３の大口径化によるビデオカメラレコーダ１全体の幅寸法の増大は防いでいる。
【００２０】
即ち、図９及び図１０に示すように、まず、大口径Ｄ２のレンズ３を用いた撮影部４及びビューファインダー部５の光軸Ｐ１をカメラデッキ部６の幅方向のセンターＰ２に対して一側方である左方向（液晶モニター部１０側）へ或る寸法Ｅだけ偏位させることによって、その光軸Ｐ１に対する液晶モニター部１０の張り出し寸法Ｃ２を最小限に抑えながら、カメラ本体２の右側面２ａにおける撮影部４及びビューファインダー部５の外周部分２ａ′のメカデッキ部６のセンターＰ２に対する右方向への張り出し寸法Ａ２を大幅に縮小して、ビデオカメラレコーダ１全体の幅寸法Ｂ２を最小限に抑えつつ、制御部９と液晶モニター部１０との間の空間１５の幅寸法Ｆの最大化を図っている。
【００２１】
従って、ビデオカメラレコーダ１全体の幅寸法Ｂ２を何等拡大することなく、従来デッドスペースになっていた空間１５部分の内部にカード型記録再生装置１４を効果的に配置することができて、カード型記録再生装置１４を内蔵し、かつ、高感度で、薄型（小幅であること）のビデオカメラレコーダ１を実現させている。
そして、カード型記録再生装置１４を後述するように制御部９の主制御基板９ａの側面に直接取り付けることができて、その主制御基板９ａに対するカード型記録再生装置１４の配線距離を最小に構成することができる。従って、その主制御基板９ａとカード型記録再生装置１４との間を短いフレキシブルプリント基板等で簡単に配線することができ、コストダウンや配線の信頼性の向上を実現することができる。その上、カード型記録再生装置１４を可動部材であるカットカバー８等から切り離してカメラ本体２の内部に完全固することができるので、ビデオカセット７の脱着時に、カセットカバー８を開閉操作する際に、カード型記録媒体１３をカード型記録再生装置１４内から誤って排出及び脱落させてしまうような危険も発生しない。
【００２２】
ところで、図６に示すように、カセットカバー８はその右側面８ａの前端部側に配置されたヒンジ機構２１によってカメラ本体２の右側面２ａの前端部側に右横方向である矢印ａ、ｂ方向に開閉自在に取り付けられていて、カメラ本体２内のメカデッキ部６の右側面側にはビデオカセット７のビデオテープに撮影画像である動画等を記録、再生するための記録再生部（ビデオテープの走行駆動系やビデオテープにヘリカルスキャン方式でデータを記録、再生する磁気ヘッドドラム等を含んでいる）２２が搭載されている。そして、カセットカバー８の内側にはビデオカセット７を記録再生部２２に矢印ｃ、ｄ方向から脱着するためのカセット脱着機構２３が組み込まれている。そして、ビデオカセット７を記録再生部２２に装着する時には、カセットカバー８の後面８ｃに取り付けられているカセット取り出しつまみ２４をスライド操作してカセットカバー８のロックを解除し、カセットカバー８をヒンジ機構２１によって矢印ａ方向に開くと共に、カセット脱着機構２３を矢印ｃ方向に引き出す。そして、ビデオカセット７をカセット脱着機構２３内に矢印ｅ方向から挿入して、そのカセット脱着機構２３によってビデオカセット７を記録再生部２２に矢印ｄ方向から装着し、最後に、カセットカバー８を矢印ｂ方向に閉じて、カセット取り出しつまみ２４でカメラ本体２に再びロックする。なお、ビデオカセット７を記録再生部２２から取り出す時には、その逆に、カセットカバー８を矢印ａ方向に開いて、カセット脱着機構２３によってビデオカセット７を記録再生部２２から矢印ｃ方向に引き出した後に、そのカセット脱着機構２３内からビデオカセット７を矢印ｆ方向に抜き取る。
【００２３】
また、図１〜図６に示すように、液晶モニター部１０はその前端部側に配置された２軸ヒンジ機構（直交する２軸を中心に２方向に回転可能なヒンジ機構）２５によってカメラ本体２の左側面２ｂの前端部側に左横方向である矢印ｇ、ｈ方向にほぼ９０°開閉自在であると共に、上下方向である矢印ｉ、ｊ方向にほぼ１８０°回転自在に取り付けられている。そして、その液晶モニター部１０の後端部に取り付けられているオープンボタン２６を押してロックを解除することによって、その液晶モニター部１０を矢印ｇ方向に開き、かつ、矢印ｉ、ｊ方向に回転することができるように構成されている。
【００２４】
また、バッテリー１２はバッテリー装着部１１に対してほぼＬ型の方向である矢印ｍ、ｎ方向に脱着可能に装着されていて、カメラ本体２の後面２ｃにはそのバッテリー１２を脱着するためのバッテリー取り外しボタン２７が取り付けられている。
【００２５】
また、カメラ本体２の左側面２ｂで、バッテリー装着部１１の下部には端子カバー２８が配置されていて、その端子カバー２８内にはバッテリー１２の充電時に使用されるＤＣ端子等が内蔵されている。そして、端子カバー２８はその前端部側に配置されたヒンジ機構によってカメラ本体１の左側面２ｂに矢印ｏ、ｐ方向に開閉自在に取り付けられている。
【００２６】
そして、図１、図２、図５、図７及び図８に示すように、カード型記録再生装置１４のケース（外筐）が合成樹脂等によって成形されたベース部材３１と、合成樹脂やステンレス板等の複合部材で構成されたカバー部材で構成されている。そして、これらベース部材３１及びカバー部材３２は縦断面形状が互いに逆向きのコ字状に形成されていて、カバー部材３２の上下寸法がベース部材３１の上下寸法よりやや小さく構成されている。そして、ベース部材３１内の左側面でやや下方に偏位された位置にカバー部材３２が結合されて、これらベース部材３１とカバー部材３２との間に光軸Ｐ１と平行で、かつ、垂直状のカード型記録媒体挿入空間３３が形成されている。そして、ベース部材３１の外周部分が複数の止ネジ３４によって制御部９の主制御基板９ａの左側面に平行状に直接取り付けれれている。
【００２７】
そして、このカード型記録再生装置１４のカード型記録媒体挿入空間３３の後端部３３ａがカメラ本体２の後面２ｃに形成されているカード型記録媒体挿入口１６に対向されていて、カード型記録媒体１３がそのカード型記録媒体挿入口１６からカード型記録媒体挿入空間３３内に前後方向である矢印ｑ、ｒ方向から挿入、排出自在に構成されている。そして、そのカード型記録媒体挿入空間３３の前端部３３ｂ内で、ベース部材３１の内面（左側面）に接続用端子３４が取り付けられていて、その接続用端子３４が電気的接続手段であるフレキシブルプリント基板３５によって主制御基板９ａに最短距離で電気的に接続されている。なお、カード型記録媒体挿入口１６を内側から開閉する内開き方式の開閉蓋３６がベース部材３１の端部に垂直状の支点ピン３７を介して水平方向に回転自在に取り付けられていて、この開閉蓋３６はその支点ピン３７の外周に取り付けられた回転付勢手段である捩りコイルバネ３８によってカード型記録媒体挿入口１６の閉蓋位置へ回転付勢されている。
【００２８】
そして、カバー部材３２の後端部の上部で、ベース部材３１の後端部の下部にカード型記録媒体取り出しボタン３９が矢印ｑ、ｒ方向にスライド自在に取り付けられていて、そのカード型記録媒体取り出しボタン３９がカメラ本体２の後面２ｃの後方に突出されている。なお、このカード型記録媒体取り出しボタン３９はスライ付勢手段である圧縮コイルバネ４０によって後方側である矢印ｒ方向にスライド付勢されている。
そして、このカード型記録媒体取り出しボタン３９によって動作されるカード型記録媒体排出機構４１がベース部材３１及びカバー部材３２に取り付けられている。そして、そのカード型記録媒体排出機構４１は、ベース部材３１とカバー部材３２の上辺部分間の隙間４２内に水平状に取り付けられて矢印ｑ、ｒ方向にスライド自在に構成されたスライド部材４３と、カバー部材３２の外側で矢印ｑ方向側の端部に支点ピン４４を中心に矢印ｓ、ｔ方向に回転自在に取り付けられた回転部材４５と、カバー部材３２の外側で回転部材４５の矢印ｒ方向側に隣接して取り付けれて矢印ｑ、ｒ方向に平行移動されるように構成された排出部材４６とによって構成されている。なお、スライド部材４３はカバー部材３２との間に取り付けられたスライド付勢手段である引張りコイルバネ４７によって矢印ｒ方向にスライド付勢されている。
【００２９】
そして、カード型記録媒体１３のカード型記録再生装置１４内への装着時には、カード型記録媒体１３をその先端１３ａ側からカード型記録媒体挿入口１６に矢印ｑ方向から挿入して、そのカード型記録媒体１３で開閉蓋３６を捩りコイルバネ３８に抗して矢印ｑ方向に押し開きながら、そのカード型記録媒体１３をカード型記録媒体挿入空間３３内に矢印ｑ方向に挿入する。
そして、図８に実線で示すように、そのカード型記録媒体１３が挿入完了位置まで挿入された時に、そのカード型記録媒体１３の接続用端子１３ｂがベース部材３１の接続用端子３４に圧着されて接続され、そのカード型記録媒体１３がフレキシブルプリント基板３５を介して主制御基板９ａに電気的に接続される。一方、そのカード型記録媒体１３の挿入完了の直前に、そのカード型記録媒体１３の先端１３ａが排出部材４６の上下一対の突起４６ａに当接して、その排出部材４６を矢印ｑ方向に平行移動させて、その排出部材４６の上下方向のほぼ中間部の突起４６ｂが回転部材４５の支点ピン４４より下部にある突起４５ａを矢印ｑ方向へ押し、その回転部材４５が矢印ｓ方向へ回転される。
【００３０】
そして、このようにしてカード型記録再生装置１４内にカード型記録媒体１３を装着して置くことにより、撮影部４で撮影される撮影画像中の静止画データ等をカード型記録媒体１３に記録、再生することができる。
そして、そのカード型記録媒体１３への記録、再生後にそのカード型記録媒体１３をカード型記録再生装置１４から排出する時には、図８に一点鎖線で示すように、カード型記録媒体取り出しボタン３９を圧縮コイルバネ４０に抗して矢印ｑ方向に押す。すると、そのカード型記録媒体取り出しボタン３９の突起３９ａがスライド部材４３の矢印ｒ方向側の端部の突起４３ａを押して、そのスライド日材４３が引張りコイルバネ４７に抗して矢験ｑ方向にスライドされて、そのスライド部材４３の矢印ｑ方向側の端部の突起４３ｂが回転部材４５の支点ピン４４より上側の突起４５ｂを矢印ｑ方向に押す。すると、その回転部材４５が支点ピン４４を中心に矢印ｔ方向に回転されて、その回転部材４５の支点ピン４４より下側の突起４５ａが排出部材４６の上下方向のほぼ中間部の突起４６ｂを矢印ｒ方向に押して、その排出部材４６が矢印ｒ方向へ平行移動される。すると、その排出部材４６の上下一対の突起４６ａによってカード型記録媒体１３の先端１３ａが押されて、そのカード型記録媒体１３がカード型記録媒体挿入空間３３内からカード型記録媒体挿入口１６外へ矢印ｒ方向に排出される。従って、この排出後に、カード型記録媒体１３を指で摘んでカード型記録媒体挿入口１６から矢印ｒ方向へ抜き取ることができる。そして、カード型記録媒体１３をカード型記録媒体挿入口１６から抜き取ると、開閉蓋３６が捩りコイルバネ３６によって矢印ｒ方向へ回転してカード型記録媒体挿入口１６を内側から閉塞して、カード型記録再生装置１４内へのダスト等の侵入を防止することができる。
【００３１】
ところで、図８に示すように、このカード型記録再生装置１４のカバー部材３２には、カード型記録媒体挿入空間３３内に装填されたカード型記録媒体１３を外部から確認できるようにするための大きな窓穴４８が開口されていて、図１に示すように、その窓穴４８の左外側に重なるように配置させた窓穴４９がカメラ本体２の左側面２ｂに開口されている。その際、カメラ本体２の左側面２ｂでバッテリー装着部１１の上部に液晶モニター部１０を収納するための凹所５０が形成されていて、その凹所５０の底面部に上記窓穴４９が形成されている。
【００３２】
従って、図３〜図５に示すように、液晶モニター部１０を凹所５０内に収納させて状態では、窓穴４９がその液晶モニター部１０によって閉塞されることになり、これらの窓穴４９、４８からカメラ本体２の内部やカード型記録再生装置１４の内部にダスト等が侵入されることを防止することができる。
一方、図１に示すように、液晶モニター部１０を凹所５０内から矢印ｇ方向に開いて使用するような通常の使用状態では、その液晶モニター部１０を矢印ｇ方向に開いて凹所５０を開放すれば、窓穴４９も開放されるので、カード型記録再生装置１４内にカード型記録媒体１３が装着されているか、否かをこれらの窓穴４９、４８を通してカメラ本体２の外部から容易に確認することができる。
従って、カード型記録媒体１３をカード型記録再生装置１４内に装着し忘れたことに気付かずに、撮影画像の静止画データ等をカード型記録媒体１３に記録しようとしてしまうような、記録ミスを極力防止することができるので、非常に使い易いものである。なお、窓穴４９は透明な合成樹脂板等で予め密封して置くことができる。また、カメラ本体２の凹所５の一部に更に一段右方向へ凹ませた小さい凹所を形成して、その小さい凹所内にカード型記録再生装置１４を組み込むようにしてそのカード型記録再生装置１４の窓穴４８を凹所５０内に直に露呈させるようのに構成することも可能である。
【００３３】
なお、このビデオカメラレコーダ１のカメラ本体２には、以上述べた構造の他にも通常のビデオカメラレコーダと同様の各種の構造が付設されている。そこで、幾つかの構造を説明すると、例えば、カメラ本体２の上面２ｅには内蔵ステレオマイク６１やインテリジェントアクセサリーシュー６２等が付設されていて、カメラ本体２の底面２ｆには三脚取付穴６３等が付設されている。また、カメラ本体２の右側面２ａの前端部の下端側の位置とカセットカバー８の右側面８ａの後端部の上端側の位置との間にはグリップベルト６４が斜めに付設されていて、カセットカバー８の後面８ｃの上端側の位置にはビデオスタート／ストップボタン６５が付設されている。また、カメラ本体２の右側面２ａの撮影部４の周辺部にはズームレバー６６などのフォーカス系の操作ボタンが付設されていて、カセットカバー８の後面８ｃにはビデオ操作ボタン６７が付設されている。そして、カメラ本体２の左側面２ｂに形成されている凹所５０の底面部には液晶モニター部１０の液晶画面１０ａに表示するモニター画像やその他の各種の表示の操作系やカード型記録再生装置１４による静止画データ等の記録、再生のための操作系等の操作ボタン６８が付設されている。
【００３４】
そして、ユーザーはカメラ本体２のグリップベルト６４の内側に右手を挿入してカメラ本体２をその右手で縦形に保持し、ビューファインダー部５や図１のように開いた液晶モニター部１０の液晶画面１０ａに表示されるモニター画像を見ながら、ビデオスタート／ストップボタン６５を右手の親指で操作するようにして、ビデオ撮影を行う。そして、その撮影画像の動画等をメカデッキ部６のビデオカセット７内のビデオテープに記録する。そして、ビデオテープに記録した撮影画像をビデオ撮影後等において液晶モニター部１０の液晶画面１０ａで再生しながら、希望する静止画データ等をカード型記録再生装置１４でカード型記録媒体１３に記録することができるようにしたものである。なを、カード型記録媒体１３に記録した静止画データも液晶画面１０ａで再生することができる。
【００３５】
以上、本発明の実施の形態について説明したが、本発明は上記した実施の形態に限定されることなく、本発明の技術的思想に基づいて各種の変更が可能である。例えば、上記した実施の形態ではメカデッキ部６で撮影画像を記録、再生する主記録媒体としてテープ状記録媒体であるビデオテープ使用したが、この主記録媒体は光ディスク等のディスク状記録媒体であっても良い。
【００３６】
【発明の効果】
以上のように構成された本発明のビデオカメラは、次のような効果を奏する。
【００３７】
請求項１は、カード型記録媒体に撮影画像等を記録、再生するカード型記録装置を内蔵したビデオカメラにおいて、従来デッドスペースになっていた撮影部及びビューファインダー部の下部で、メカデッキ部とモニター部で囲まれた空間内にカード型記録再生装置を効果的に収容することができるようにしたので、従来、カード型記録再生装置を収容するために必要であったメカデッキ部のモニター部とは反対側の張り出し部を除去することができ、撮像部の固体撮像素子の高画素数に対応させて大口径のレンズを搭載しても、ビデオカメラの小幅化を図ることができて、高感度で、薄型のビデオカメラを実現することができる。しかも、カード型記録再生装置を従来のように可動部であるカセットカバーに組み込むものと異なり、カード型記録再生装置をカメラ本体内に高安定に固定することができるので、カセットカバーの開閉操作等によってカード型記録媒体をカード型記録再生装置内から誤って排出、脱落させてしまうようなことを無くして、高安全性を確保できる。
【００３８】
請求項２は、カード型記録媒体に撮影画像等を記録、再生するカード型記録装置を内蔵したビデオカメラにおいて、従来デッドスペースになっていた撮影部及びビューファインダー部の下部で、制御部とモニター部で囲まれた空間内にカード型記録再生装置を効果的に収容することができるようにしたので、従来、カード型記録再生装置を収容するために必要であったメカデッキ部のモニター部とは反対側の張り出し部を除去することができ、撮像部の固体撮像素子の高画素数に対応させて大口径のレンズを搭載しても、ビデオカメラの小幅化を図ることができて、高感度で、薄型のビデオカメラを実現することができる。しかも、カード型記録再生装置と制御部との間の距離を最短距離に設定することができて、これらの間の配線構造の簡素化によるコストダウン及び配線の信頼性向上を図ることができる。
【００３９】
請求項３は、カード型記録媒体に撮影画像等を記録、再生するカード型記録装置を内蔵したビデオカメラにおいて、従来デッドスペースになっていた撮影部及びビューファインダー部の下部で、メカデッキ部とモニター部とバッテリー部で囲まれた空間内にカード型記録再生装置を効果的に収容することができるようにしたので、従来、カード型記録再生装置を収容するために必要であったメカデッキ部のモニター部とは反対側の張り出し部を除去することができ、撮像部の固体撮像素子の高画素数に対応させて大口径のレンズを搭載しても、ビデオカメラの小幅化を図ることができて、高感度で、薄型のビデオカメラを実現することができる。しかも、カード型記録再生装置を従来のように可動部であるカセットカバーに組み込むものと異なり、カード型記録再生装置をカメラ本体内に高安定に固定することができるので、カセットカバーの開閉操作等によってカード型記録媒体をカード型記録再生装置内から誤って排出、脱落させてしまうようなことを無くして、高安全性を確保できる。
【００４０】
請求項４は、モニター部を開くことにより、カード型記録再生装置の内部に装着されているカード型記録媒体を窓穴を通して外部から確認することができるようにしたので、ユーザが通常使用する状態でカード型記録再生装置の内部のカード型記録媒体を外部から容易に確認することができる。従って、カード型記録媒体をカード型記録再生装置内に装着し忘れたことに気付かずに、撮影画像の画像データ等をカード型記録媒体に記録しようとしてしまうような、記録ミスを極力防止することができて、非常に使い易いビデオカメラを提供することができる。
【００４１】
請求項５は、カード型記録再生装置を制御部の基板に直接取り付けたので、カード型記録再生装置と制御部との間の距離を最短距離に容易に設定することができて、これらの間の配線構造の簡素化によるコストダウン及び配線の信頼性向上を図ることができる。
【００４２】
請求項６は、カード型記録再生装置のカード型記録媒体挿入口をカメラ本体の後面に開口させたので、カセットの脱着を行うためのカセットカバーの開閉操作やモニター部の開閉操作等を何等阻害することなく、カード型記録媒体の脱着操作をスムーズに行えて、非常に使い易いものが得られる。
【図面の簡単な説明】
【図１】本発明を適用したビデオカメラレコーダの実施の形態を説明する液晶モニター部を開いた状態で、ビデオカメラレコーダを左斜め後方から見た斜視図である。
【図２】同上のビデオカメラレコーダを右斜め後方から見た斜視図である。
【図３】同上のビデオカメラレコーダを左斜め前方から見た斜視図である。
【図４】同上のビデオカメラレコーダをカセットカバー側を下にした状態の斜視図である。
【図５】同上のビデオカメラレコーダの背面図である。
【図６】同上のビデオカメラレコーダのビデオカセットの脱着操作を説明する斜視図である。
【図７】同上のビデオカメラレコーダのカメラ本体の内部構造を概略的に示した分解斜視図である。
【図８】同上のビデオカメラレコーダのカード型記録再生装置を説明する左側面図及び背面図である。
【図９】同上のビデオカメラレコーダを小幅に構成することができる理由を説明する概略背面図である。
【図１０】図９の正面図である。
【図１１】従来のビデオカメラレコーダの幅が大きい理由を説明する背面図である。
【符号の説明】
１はビデオカメラであるビデオカメラレコーダ、２はカメラ本体、３はレンズ、４は撮影部、５はビューファインダー部、６はメカデッキ部、８はテープ状記録媒体であるビデオカセット、９は制御部、９ａは主制御基板、１０はモニター部である液晶モニター部、１１はバッテリー部であるバッテリー装着部、１２はバッテリー、１３はカード型記録媒体、１４はカード型記録再生装置、１５はカード型記録再生装置を収容する空間、１６はカード型記録媒体挿入口、４８、４９は窓穴である。
【図１】
0004228478.tif 000002
【図２】
0004228478.tif 000003
【図３】
0004228478.tif 000004
【図４】
0004228478.tif 000005
【図５】
0004228478.tif 000006
【図６】
0004228478.tif 000007
【図７】
0004228478.tif 000008
【図８】
0004228478.tif 000009
【図９】
0004228478.tif 000010
【図１０】
0004228478.tif 000011
【図１１】
0004228478.tif 000012